(57)【要約】  【課題】  被印刷面に印刷される写真画像に写り込んでいる被写体に関する更なる情報を、印刷媒体の利用者に提供するために極めて利便性に優れた印刷媒体を提供することである。  【解決手段】  この印刷媒体は、被印刷面に各種の掲載情報が印刷されている印刷媒体であって、その被印刷面に設けられる写真画像と、その写真画像内又はその写真画像に隣接する周辺領域に配置される識別マークとを備えており、更に、その識別マークが、写真画像内に写り込んでいる被写体に関する説明情報を映像化した説明映像をネットワークを介して取得するための接続先情報がコード化されて記録されたものであり、かつ、読取装置によって読み取られデコード装置によってデコード化されることで接続先情報が開示されるものである。【選択図】        図１
2009282555.tif 000002
【特許請求の範囲】
【請求項１】
被印刷面に各種の掲載情報が印刷されている印刷媒体であって、その被印刷面に設けられる写真画像と、その写真画像内又はその写真画像に隣接する周辺領域に配置される識別マークとを備えており、
その識別マークは、前記写真画像内に写り込んでいる被写体に関する説明情報を映像化した説明映像をネットワークを介して取得するための接続先情報がコード化されて記録されたものであり、かつ、読取装置によって読み取られデコード装置によってデコード化されることで前記接続先情報が開示されるものであることを特徴とする印刷媒体。
【請求項２】
前記識別マークが、スタック方式、マトリックス方式その他の二次元コード化方式によって、前記説明映像を取得するための前記接続先情報をコード化したものであることを特徴とする請求項１記載の印刷媒体。
【請求項３】
前記識別マークが、前記写真画像内であってその写真画像の隅部分に重畳して、その写真画像よりも小さなサイズで、配置されるものであることを特徴とする請求項１又は２に記載の印刷媒体。
【請求項４】
前記識別マークが、前記写真画像の縁部分の一部を欠切した欠切部分に嵌め込まれ、その写真画像の輪郭の一部を成すように配置されるものであることを特徴とする請求項１又は２に記載の印刷媒体。
【請求項５】
前記識別マークが、前記写真画像内であって、その写真画像に写り込んでいる被写体のうち前記説明映像により説明しようとする被説明対象物を除く背景画像部分に、当該写真画像よりも小さなサイズで、配置されるものであることを特徴とする請求項１又は２に記載の印刷媒体。
【請求項６】
前記識別マークが、前記写真画像内における背景画像部分の一部を欠切した欠切部分に嵌め込まれて配置されるものであることを特徴とする請求項５記載の印刷媒体。
【発明の詳細な説明】
【技術分野】
【０００１】
本発明は、各種の記事や広告などの掲載情報が被印刷面に印刷される印刷媒体に関するものである。
【背景技術】
【０００２】
従来より、新聞、雑誌、チラシ、カタログ、リーフレット、パンフレット、ダイレクトメール、価格表、名刺、ブロマイド、取引書類、ラベル、シール、包装容器などの印刷物には被印刷面が設けられており、この被印刷面には、印刷物によって提供しようとする各種の掲載情報と、その掲載情報に関連した写真画像が印刷されている。例えば、新聞や雑誌には、その誌面に各種の記事や広告が印刷により掲載されており、この記事や広告に関する写真画像も併せて印刷されている。
【特許文献１】実用新案登録第３１２３９７８号
【発明の開示】
【発明が解決しようとする課題】
【０００３】
しかしながら、上記した新聞広告や雑誌広告については、多くの場合が広告サイズに応じた広告掲載料金となっており、例えば、広告サイズが大きくなるに従って広告掲載料金が段階的に高額となる料金設定となっている。このため、広告主は、新聞や雑誌等の印刷物に広告を掲載する場合に、その広告掲載料金の金額が自己の予算に見合ったものでないときには、結局、自己が求める広告スペースを十分に確保することができず、結果、十分な情報を掲載することができなくなってしまうという問題点があった。
【０００４】
また、新聞や雑誌をはじめ他の印刷物についても、カラー印刷による写真画像を用いた場合には、モノクロ印刷による記事や写真画像を用いた場合に比べると印刷料金が嵩むため、本来であれば、多様な写真画像を幾つも用いて掲載情報の内容を十分なものに構成したような場合でも、厳選された１枚乃至数枚程度の写真画像しか掲載情報に用いることができず、結果、十分な広報活動が行えないという問題点があった。
【０００５】
さらに、特に、チラシ、リーフレット、パンフレット、ダイレクトメールなどのように被印刷面のスペースが元々極めて狭小なものに限定されている印刷物にあっては、そもそも、多様な写真画像を幾つも用いて掲載情報の内容を構成することができず、これらを用いた広報活動が大幅に制約を受けてしまうという問題点があった。
【０００６】
そこで、本発明は、上述した問題点を解決するためになされたものであり、被印刷面に印刷される写真画像に写り込んでいる被写体に関する更なる情報を、印刷媒体の利用者に提供するために極めて利便性に優れた印刷媒体を提供することを目的としている。
【課題を解決するための手段】
【０００７】
この目的を達成するために、請求項１の印刷媒体は、被印刷面に各種の掲載情報が印刷されている印刷媒体であって、その被印刷面に設けられる写真画像と、その写真画像内又はその写真画像に隣接する周辺領域に配置される識別マークとを備えており、その識別マークは、前記写真画像内に写り込んでいる被写体に関する説明情報を映像化した説明映像をネットワークを介して取得するための接続先情報がコード化されて記録されたものであり、かつ、読取装置によって読み取られデコード装置によってデコード化されることで前記接続先情報が開示されるものである。
【０００８】
なお、識別マークを被印刷面に配置する場合には、識別マークを被印刷面に直接印刷したり、又は、識別マークが印刷されたシール、ラベルその他の物を被印刷面に貼付したりしても良い。また、識別マークが写真画像に隣接する周辺領域に配置される状態のなかには、識別マークの読取エラーを生じない限度において、識別マークの輪郭が写真画像の写真画像の輪郭と接した状態も含まれる。
【０００９】
この請求項１の印刷媒体によれば、この印刷媒体の利用者が被印刷面にある写真画像を見て、その写真画像に写り込んでいる被写体について更に知りたいときには、この写真画像内又はその周辺領域に配置されることで当該写真画像と関係づけられている識別マークが、読取装置によって読み取られてデコード装置によってデコード化される。すると、識別マークにコード化されている接続先情報であって写真画像の被写体に関する説明映像を取得するためのものが取得される。
【００１０】
ここで、この接続先情報を用いて通信端末のアクセス手段によりネットワークを介してアクセスが行われると、ネットワークに接続されているサーバー装置が、写真画像に写り込んでいる被写体に関する説明映像を、記憶装置から読み出し、当該通信端末に対して送信してくる。この送信されてきた説明映像が通信端末の映像表示装置によって再生表示されることによって、被印刷面の写真画像に写り込んでいる被写体に関する説明が映像として提示又は開示される。
【００１１】
請求項２の印刷媒体は、請求項１の印刷媒体において、前記識別マークが、スタック方式、マトリックス方式その他の二次元コード化方式によって、前記説明映像を取得するための前記接続先情報をコード化したものである。
【００１２】
この請求項２の印刷媒体によれば、請求項１の印刷媒体と同様に作用する上、識別マークは、特に、携帯電話などの携帯型通信端末の分野において各種の情報ソースへのアクセス手段として広く利用されている二次元コード化方式によって接続先情報をコード化したものであるので、この識別マークが配置されている写真画像に関する情報ソースに対してアクセス可能であることを示唆又は暗示することができる。
【００１３】
よって、識別マークに関する余分な説明や宣伝をせずとも、利用者に対して写真画像内又はその周辺領域に配置される識別マークが写真画像の被写体に関する情報を取得するための手段であることを容易に告知できる。
【００１４】
請求項３の印刷媒体は、請求項１又は２の印刷媒体において、前記識別マークが、前記写真画像内であってその写真画像の隅部分に重畳して、その写真画像よりも小さなサイズで、配置されるものである。
【００１５】
この請求項３の印刷媒体によれば、請求項１又は２の印刷媒体と同様に作用する上、識別マークが写真画像内に配置されるので、識別マークを写真画像の周辺領域に配置する場合に比べて、識別マークと写真画像との関連性を強調することができる。よって、利用者に対して、識別マークが、写真画像の被写体に関する情報を取得するための手段であることをより効果的に告知できる。しかも、写真画像の周辺領域に識別マークを配置するための余分に出っ張ったスペースを被印刷面上に確保する必要がなく、写真画像の周囲の掲載情報のレイアウトに支障を来すことなく、識別マークを配置することができる。
【００１６】
また、写真画像の被写体に興味を示す看者は、当然、写真画像を注視することから、その写真画像に識別マークを重畳することで、かかる識別マークに対しても注目を一層集めることができ、識別マークに対する興味を促すとともに、その利用率を高めることができる。しかも、識別マークは、写真画像内に重畳して配置されるとはいえ、写真画像の隅部分に当該写真画像よりも小さなサイズで配置されるので、写真画像に写っている被写体自体の視認性を阻害することもない。
【００１７】
請求項４の印刷媒体は、請求項１又は２の印刷媒体において、前記識別マークが、前記写真画像の縁部分の一部を欠切した欠切部分に嵌め込まれ、その写真画像の輪郭の一部を成すように配置されるものである。
【００１８】
この請求項４の印刷媒体によれば、請求項１又は２の印刷媒体と同様に作用する上、識別マークが、写真画像の縁部分の一部を欠切した欠切部分に嵌め込まれ、その写真画像の輪郭の一部を成すように配置されるので、写真画像の周辺領域に識別マークを配置するための余分に出っ張ったスペースを被印刷面上に確保する必要がなく、写真画像の周囲の掲載情報のレイアウトに支障を来すことなく、識別マークを配置することができる。
【００１９】
また、識別マークは、写真画像の欠切部分に嵌め込み配置されるので、写真画像の色彩に変更を加えずとも、かかる欠切部分の背景色を識別マークの読取解読に支障のない色彩（例えば、白色系の背景色）に選定するだけで、識別マークの読取エラーを防止することができる。特に、写真画像内に識別マークを重畳すると、写真画像の色彩が邪魔をして識別マークの読取エラーが発生するような場合には、極めて有効である。
【００２０】
また、識別マークは、実質的に写真画像の周辺領域に配置されるとはいえ、写真画像の輪郭の一部を成すように欠切部分に嵌め込み配置されるので、ただ単に識別マークを写真画像の周辺領域に配置する場合に比べて、識別マークと写真画像との関連性を強調することができる。よって、利用者に対して、識別マークが、写真画像の被写体に関する情報を取得するための手段であることをより効果的に告知できる。
【００２１】
さらに、写真画像の被写体に興味を示す看者は、当然、写真画像を注視することから、その写真画像に識別マークを嵌め込み配置することで、かかる識別マークに対して注目を一層集めることができ、識別マークに対する興味を促すとともに、その利用率を高めることができる。しかも、識別マークは、写真画像には重畳されないので、当該写真画像に写っている被写体自体の視認性を阻害することも一切ない。
【００２２】
請求項５の印刷媒体は、請求項１又は２の印刷媒体において、前記識別マークが、前記写真画像内であって、その写真画像に写り込んでいる被写体のうち前記説明映像により説明しようとする被説明対象物を除く背景画像部分に、当該写真画像よりも小さなサイズで、配置されるものである。
【００２３】
この請求項５の印刷媒体によれば、請求項１又は２の印刷媒体と同様に作用する上、識別マークが写真画像内に配置されるので、識別マークを写真画像の周辺領域に配置する場合に比べて、識別マークと写真画像との関連性を強調することができる。よって、利用者に対して、識別マークが、写真画像の被写体に関する情報を取得するための手段であることをより効果的に告知できる。しかも、写真画像の周辺領域に識別マークを配置するための余分に出っ張ったスペースを被印刷面上に確保する必要がなく、写真画像の周囲の掲載情報のレイアウトに支障を来すことなく、識別マークを配置することができる。
【００２４】
また、写真画像の被写体に興味を示す看者は、当然、写真画像を注視することから、その写真画像内の背景画像部分に識別マークを配置することで、かかる識別マークに対しても注目を一層集めることができ、識別マークに対する興味を促すとともに、その利用率を高めることができる。しかも、識別マークは、写真画像内に配置されるとはいえ、写真画像内であっても被説明対象物を除いた背景画像部分に、当該写真画像よりも小さなサイズで配置されるので、写真画像に写っている被写体自体の視認性を阻害することもない。
【００２５】
請求項６の印刷媒体は、請求項５の印刷媒体において、前記識別マークが、前記写真画像内における背景画像部分の一部を欠切した欠切部分に嵌め込まれて配置されるものである。
【００２６】
この請求項６の印刷媒体によれば、請求項５の印刷媒体と同様に作用する上、識別マークは、写真画像内の欠切部分に嵌め込み配置されるので、写真画像の色彩に変更を加えずとも、かかる欠切部分の背景色を識別マークの読取解読に支障のない色彩（例えば、白色系の背景色）に選定するだけで、識別マークの読取エラーを防止することができる。特に、写真画像内に識別マークを重畳すると、写真画像の色彩が邪魔をして識別マークの読取エラーが発生するような場合には、極めて有効である。
【発明の効果】
【００２７】
本発明の印刷媒体によれば、被印刷面に多数の写真画像を設けるスペースが確保できなくとも、写真画像内又はその周辺領域に配置される識別マークをデコード化することで取得される接続先情報を用いれば、その写真画像に関する説明情報を映像化した説明映像をネットワークを介して取得することができる。よって、この取得した説明映像を閲覧することで、写真画像やそれに付随する記事のみでは説明しきれない情報を、印刷媒体の利用者に対して提供できるという効果がある。
【００２８】
また、識別マークを介して取得される説明映像については、写真画像の被写体に関する説明情報を映像化したものであるので、単なる文字のみからなるＷｅｂページなどの説明情報に比べて、より多くの説明情報を理解され易く且つより迅速なかたちで、印刷媒体の利用者に対して提供できるという効果がある。
【００２９】
しかも、この説明映像を用いれば、例えば、印刷媒体の頒布後にそれに掲載される写真画像の被写体について若干の変更が生じた場合でも、印刷媒体内の写真画像を差替えることなく、その変更点について説明映像を用いて告知することもできる。この場合に、写真画像の変更点が説明映像として利用者に提供されるので、利用者に変更点について的確に教示することができるという効果がある。
【発明を実施するための最良の形態】
【００３０】
以下、本発明の好ましい実施例について、添付図面を参照して説明する。
【００３１】
本発明の印刷媒体の一実施例である印刷物としては、例えば、新聞、雑誌、フリーペーパー、チラシ、カタログ、リーフレット、パンフレット、ダイレクトメール、価格表、名刺、ブロマイド、取引書類、ラベル（下札、値札、荷札その他のタグなどを含む。以下同じ。）、シール、包装容器（包装箱、包装紙、包装パック、包装袋などを含む。以下同じ。）その他写真画像が印刷等により被印刷面に設けられる各種の印刷物が含まれる。また、印刷物としてのラベルには、例えば、衣料品に縫着されるラベルであって、衣料品のメーカー名、商標、品質、洗濯情報等が印刷されたものも含まれる。
【００３２】
なお、印刷物の被印刷面とは、印刷物に設けられる各種の掲載情報を印刷可能な面をいい、例えば、印刷物が新聞や雑誌などの出版物である場合はその誌面（表表紙又は裏表紙を含む。）のことをいう。
【００３３】
図１及び図２は、雑誌である印刷物１００の被印刷面１０１（誌面）に掲載される掲載情報１０２のレイアウト例を図示した平面図であって、図１（ａ）は、二次元コード１０５の第１レイアウト例Ｌ１を図示したものであり、図１（ｂ）は、二次元コード１０５の第２レイアウト例Ｌ２を図示したものであり、図２（ａ）は、二次元コード１０５の第３レイアウト例Ｌ３を図示したものであり、図２（ｂ）は、二次元コード１０５の第４レイアウト例Ｌ４を図示したものである。
【００３４】
＜第１レイアウト例＞
図１（ａ）に示すように、第１レイアウト例Ｌ１において、印刷物１００の被印刷面１０１には、洋菓子店の掲載情報１０２が掲載されており、この掲載情報１０２は、主に、掲載情報の内容を文章で表記した記事文１０３と、その記事文１０３の内容に対応した画像をカラー印刷又はモノクロ印刷で表した静止画像である写真画像１０４と、その写真画像１０４の周辺領域１０６であって当該写真画像１０４の右下側の外周縁辺に隣接して配置される二次元コード１０５とを備えている。写真画像１０４は、平面視略横長矩形状の輪郭１０４ｃを有しており、記事文１０３は写真画像１０４の右側に隣接して併記されている。
【００３５】
なお、周辺領域１０６とは、必ずしも二次元コード１０５が配置されている写真画像１０４の右下側の外周縁辺に隣接する部分に限定されるものではなく、写真画像１０４の外周全体において、写真画像１０４の輪郭１０４ｃに隣接したその他の部分も含むものである。例えば、写真画像１０４の輪郭１０４ｃの上辺、下辺、左辺、又は右辺に隣接した任意の箇所に、二次元コード１０５を配置しても良い。
【００３６】
具体的に、本実施例においては、記事文１０３が洋菓子店の新製品について紹介する文面であり、写真画像１０４が洋菓子店の新製品である「ショートケーキ」を主たる被写体（以下「主被写体」という。）１０４ａとして撮影した静止画像であり、写真画像１０４に主被写体１０４ａの他にも従たる被写体としてテーブル等の背景画像１０４ｂも写り込んでいる。
【００３７】
ここで、主被写体１０４ａとは、印刷物１００の被印刷面１０１に設けられる写真画像１０４に写り込んだ被写体のうち、その写真画像１０４の掲載者（掲載依頼者を含む。以下同じ。）が利用者（読者を含む。）に対して当該写真画像１０４を用いて掲載情報１０２で告知しようとしている対象物（以下「被説明対象物」ともいう。）をいう。
【００３８】
ただし、ここでいうところの写真画像１０４の主被写体１０４ａとは、必ずしも写真画像１０４ａに写っている対象自体（画像）の内容のみに基づいて定めされるものである必要はなく、その写真画像１０４ａに写っている対象自体の内容に、その写真画像１０４ａ内に表記される文字、写真画像１０４ａに併設される記事文１０３の文面、その他これらに類する被印刷面１０１上の文字表記の内容を勘案して、総合的に定められる対象を含んでいる。
【００３９】
例えば、写真画像１０４に写っている対象が「さくらんぼ」の画像であって、その写真画像１０４上、記事文１０３の文面内、又は、周辺領域１０に「さくらんぼ」の内容を補足する説明文、例えば、「山形のさくらんぼ」等と産地名を冠した表記等がなされているような場合にあっては、写真画像１０４の主被写体１０４ａは、単なる「さくらんぼ」を意図するのではなく、この写真画像１０４自体及び「山形のさくらんぼ」を総合的に勘案した、「山形県産のさくらんぼ」と定められることとなる。
【００４０】
二次元コード１０５は、本発明の識別マークの一種であり、当該二次元コード１０５が隣接配置される写真画像１０４に写っている主被写体１０４ａ、即ち、図１（ａ）中の写真画像１０４内に写り込んでいる「ショートケーキ」についての説明情報を映像化した説明映像Ｍを取得するため、その説明映像Ｍに関するＵＲＬ（Uniform-Resource-Locator）（以下、「説明映像ＵＲＬ」ともいう。）をコード化して記録したものである。
【００４１】
説明映像ＵＲＬは、後述するように（図５参照。）、説明映像配信サーバー１，６０を介して公開されている説明映像Ｍに対し、携帯電話機２のＷＷＷブラウザ２４ａを用いて、電気通信回線網３（特に、インターネット通信網）を介してアクセスするための接続先情報である。
【００４２】
ここで、ＵＲＬは、電気通信回線網３を介して利用可能となっている情報リソースの位置を指し示す記述方式（接続先情報）であり、特に、インターネット通信網上の所在を、サーバ名、ポート番号、フォルダ名、ファイル名などで構成される文字列や、ＩＰ（Internet Protocol）アドレスで指定したものを含んでいる（ＣＧＩの引数を含まない文字列も含む。）。
【００４３】
また、二次元コード１０５は、スタック方式、マトリックス方式その他の二次元コード化方式によって説明映像ＵＲＬをコード化したものが好ましい。この二次元コード１０５には、大別すると、ＰＤＦ４１７（SymbolTechnologies社開発）等のスタック型二次元コードと、ＱＲコード（ＪＩＳ−Ｘ−０５１０）（デンソーウェーブ社開発）等のマトリックス型二次元コードとがある。なかでも、ＱＲコードは、読み取り速度を高速化することを主眼に設計された二次元コードであって、日本国内の普及率や周知度も高く、写真画像１０４と関係づけて用いる二次元コード１０５として、より好適である。
【００４４】
特に、現在の日本国内で使用されている多くの携帯電話機２には、それに搭載されるカメラ機能を利用したＱＲコードのリーダー機能及びデコーダー機能が内蔵されており、この点においても、ＱＲコードは、印刷物１００の写真画像１０４に附帯配置される二次元コード１０５として現段階において最も好適なものである。そこで、本実施例では、二次元コード１０５の具体例としてＱＲコードを用いて説明している。
【００４５】
このように、二次元コード１０５がＱＲコードであることから、これを写真画像１０４に附帯配置させることで、この二次元コード１０５が写真画像１０４に関する情報ソースに対してアクセス可能であることを示唆又は暗示することができる。
【００４６】
また、ＱＲコードを用いた二次元コード１０５であれば周知度も高いことから、写真画像１０４に附帯表示される二次元コード１０５の利用方法について余分な説明や宣伝をせずとも、利用者に対して写真画像１０４内又はその周辺領域１０６に配置される二次元コード１０５が写真画像１０４の主被写体１０４ａに関する何らかの情報を取得するための手段であることを容易に告知できる。
【００４７】
ここで、このＱＲコードを用いた二次元コード１０５は、主として、複数のモジュール、位置検出パターン等で構成されるシンボル本体と、そのシンボル本体の周囲四辺に余白として設けられるクワイエットゾーンとを備えている。なお、本第１レイアウト例を含めて、後述する第２レイアウト例から第４レイアウト例においても、二次元コード１０５のシンボル本体の周囲にはクワイエットゾーンが設けられている。
【００４８】
なお、二次元コード１０５を被印刷面１０１に「配置する」とは、被印刷面１０１の所定箇所に二次元コード１０５を定着させることをいい、例えば、被印刷面１０１に二次元コード１０５が直接印刷されること、及び、被印刷面１０１に二次元コード１０５が印刷されたシール、ラベルその他これに類する物が貼付されること、その他これに類する態様が含まれる。
【００４９】
このように、写真画像１０４の主被写体１０４ａに関する説明映像ＵＲＬをコード化して記録した二次元コード１０５が写真画像１０４の周辺領域１０６に配置されている印刷物１００によれば、この印刷物１００の利用者は、写真画像１０４の主被写体１０４ａについて更なる情報を確認したいときに、その写真画像１０４に附帯される二次元コード１０５を携帯電話機２により読み取って解読することで説明映像ＵＲＬを取得し、この説明映像ＵＲＬを用いて当該写真画像１０４の主被写体１０４ａに関する説明映像Ｍにアクセスし、この説明映像Ｍを閲覧することで、当該主被写体１０４ａについて更なる説明を受けることができる。
【００５０】
＜第２レイアウト例＞
図１（ｂ）に示すように、第２レイアウト例Ｌ２は、上記した第１配置では二次元コード１０５を写真画像１０４の周辺領域１０６に配置したのに対し、二次元コード１０５が写真画像１０４の一部に組み込まれる位置に配置位置を変更したものである。以下、第１レイアウト例Ｌ１と同一の部分には同一の符号を付して、その説明を省略し、異なる部分のみを説明する。
【００５１】
この第２レイアウト例Ｌ２において、二次元コード１０５は、写真画像１０４内の左下側の隅部分に、この写真画像１０４に重畳するような状態で印刷されることで配置されている。つまり、二次元コード１０５は、写真画像１０４の輪郭１０４ｃ（境界線）よりも内側の隅部分に、この写真画像１０４内の画像に重なり合って配置されている。しかも、二次元コード１０５の平面サイズは、写真画像１０４の平面サイズよりも小さくされている。
【００５２】
また、二次元コード１０５は、写真画像１０４の掲載者が説明映像Ｍを用いて更に説明しようとする被説明対象物、即ち、写真画像１０４の主被写体１０４ａである「ショートケーキ」を除く背景画像１０４ｂ上に、当該写真画像１０４よりも小さなサイズで、配置されている。
【００５３】
特に、二次元コード１０５を写真画像１０４内に重畳する場合、この二次元コード１０５の配置箇所は、写真画像１０４内のうち、二次元コード１０５のクワイエットゾーンとしても機能可能な淡色系の色彩の画像領域が好ましく、なかでも、写真画像１０４内の白色系の色彩を有する画像領域であることがより好適である。つまり、この場合は、写真画像１０４の画像自体が二次元コード１０５のシンボル本体を囲繞するクワイエットゾーンとして機能することとなる。
【００５４】
ここで、淡色系又は白色系とは、二次元コード１０５の読取エラーを防止する限度における明度を有する色彩を意図しており、二次元コード１０５のシンボル本体の明モジュールと公称反射値が等しい色彩をいう。
【００５５】
なお、二次元コード１０５の重畳箇所は、必ずしも写真画像１０４内の左下側の隅部分に限定されるものではなく、写真画像１０４内であって主被写体１０４ａを邪魔しない箇所であれば他の部分であっても良い。例えば、主被写体１０４ａが写真画像１０４内のほぼ中央部分に写っているような場合であれば、写真画像内１０４における輪郭１０４ｃの上辺より、下辺より、左辺より、又は右辺よりの任意の箇所に、二次元コード１０５を重畳しても良い。
【００５６】
この第２レイアウト例Ｌ２によれば、二次元コード１０５が写真画像１０４内に配置されるので、二次元コード１０５を写真画像１０４の周辺領域１０６に配置する場合（図１（ａ）参照。）に比べて、二次元コード１０５と写真画像１０４とが互いに関係づけられている旨の印象を、看者に一層強く付与できる。
【００５７】
結果、印刷物１００の利用者たる看者に対して、二次元コード１０５が、写真画像１０４の主被写体１０４ａに関する情報を取得するための手段である旨を効果的に告知もできる。しかも、写真画像１０４の輪郭１０４ｃから不格好に出っ張った状態で二次元コード１０５を別途配置する必要もなく、写真画像１０４の周囲のレイアウト例を整然としたものにできる。
【００５８】
また、看者が写真画像１０４の主被写体１０４ａに注視した場合、自ずと写真画像１０４内に配置される二次元コード１０５にも注目を促すこととなるため、この二次元コード１０５を用いた説明映像Ｍへのアクセス率を高めることができる。
【００５９】
しかも、二次元コード１０５は、写真画像１０４内に重畳して配置されるとはいえ、写真画像１０４の隅部分であって被説明対象物（主被写体１０４ａ）を除いた背景画像１０４ｂに、当該写真画像１０４よりも小さなサイズで配置されるので、写真画像１０４に写っている主被写体１０４ａ自体の視認性や画像品質を阻害することもない。
【００６０】
＜第３レイアウト例＞
図２（ａ）に示すように、第３レイアウト例Ｌ３は、上記した第２レイアウト例Ｌ２に対し、写真画像１０４内の二次元コード１０５の配置箇所に表示枠１０７を設けたものである。以下、第２レイアウト例Ｌ２と同一の部分には同一の符号を付して、その説明を省略し、異なる部分のみを説明する。
【００６１】
この第３レイアウト例Ｌ３おいて、写真画像１０４内には、その右上側の隅部分の周辺に二次元コード１０５の平面サイズ以上の面積を有する平面視略矩形状の表示枠１０７が設けられている。この表示枠１０７は、写真画像１０４内における背景画像１０４ｂの一部分を欠切した部分であり、この表示枠１０７内の背景色には、二次元コード１０５の読取解読に支障のない色彩、例えば、白色系の色彩が選定されている。また、この表示枠１０７内には、二次元コード１０５が嵌め込まれた状態で配置されている。
【００６２】
このため、例えば、写真画像１０４の背景画像１０４ｂの色彩が二次元コード１０５の読取エラーを誘発するものである場合でも、写真画像１０４内に特別に設けられる表示枠１０７内に、二次元コード１０５を嵌め込み配置することによって、読取エラーの発生を防止することができる。このため、二次元コード１０５を写真画像１０４内の背景画像１０４ｂに重畳するために、わざわざ印刷物１００の編集段階で写真画像１０４の色彩に変更を加えることも不要となる。
【００６３】
なお、第３レイアウト例Ｌ３では、二次元コード１０５の表示枠１０７の形成箇所を、写真画像１０４内の右上側の隅部分としたが、かかる表示枠の形成箇所は必ずしもここに限定されるものではなく、写真画像１０４内であって主被写体１０４ａを邪魔しない箇所であれば他の部分であっても良い。例えば、主被写体１０４ａが写真画像１０４内のほぼ中央部分に写っているような場合であれば、写真画像内１０４における輪郭１０４ｃの上辺より、下辺より、左辺より、又は右辺よりの任意の箇所に表示枠１０７を形成しても良い。
【００６４】
＜第４レイアウト例＞
図２（ｂ）に示すように、第４レイアウト例Ｌ４は、上記した第１レイアウト例Ｌ１に対し、二次元コード１０５が写真画像１０４の周囲から余分に出っ張ることが防止されるように、二次元コード１０５を配置したものである。以下、第１レイアウト例Ｌ１と同一の部分には同一の符号を付して、その説明を省略し、異なる部分のみを説明する。
【００６５】
この第４レイアウト例Ｌ４によれば、写真画像１０４には、その写真画像１０４の外周縁部分における右下隅部分の一部を略矩形状に欠切することで切欠凹部１０８が凹設されている。この切欠凹部１０８は、二次元コード１０５の平面サイズ以上の面積を有した欠切部分であり、写真画像１０４に写り込んでいる背景画像１０４ｂの一部を欠切したものとなっている。このため、写真画像１０４に切欠凹部１０８が設けられていても、主被写体１０４ａの視認性や画像品質は確保されている。
【００６６】
なお、切欠凹部１０８の凹設箇所は、必ずしも写真画像１０４の外周縁部分の右下隅部分に限定されるものではなく、写真画像１０４の外周縁部分の一部であれば他の部分であっても良い。例えば、主被写体１０４ａが写真画像１０４内のほぼ中央部分に写っているような場合であれば、写真画像内１０４における輪郭１０４ｃの上辺、下辺、左辺、又は右辺の任意の箇所に、切欠凹部１０８を凹設しても良い。
【００６７】
また、切欠凹部１０８の背景色には、二次元コード１０５の読取解読に支障のない色彩、例えば、白色系の色彩が選定されている。このため、例えば、写真画像１０４の背景画像１０４ｂの色彩が二次元コード１０５の読取エラーを誘発するものである場合でも、切欠凹部１０８内に二次元コード１０５を嵌め込み配置することによって、読取エラーの発生を防止することができる。よって、二次元コード１０５を写真画像１０４内の背景画像１０４ｂに重畳するために、わざわざ印刷物１００の編集段階で写真画像１０４の色彩に変更を加えることも不要となる。
【００６８】
また、この切欠凹部１０８内には、二次元コード１０５が嵌め込まれた状態で配置されており、この二次元コード１０５のシンボル本体の左辺と下辺とは、写真画像１０４の右下隅部分から欠落している写真画像１０４の輪郭１０４ｃの下辺右端部と左辺下端部とを補うように、この写真画像１０４の輪郭１０４ｃの一部を成すように配置されている。
【００６９】
つまり、二次元コード１０５のシンボル本体と写真画像１０４とは、二次元コード１０５のシンボル本体の右辺が、写真画像１０４の右辺の下側の延長線上に略一致し、二次元コード１０５のシンボル本体の下辺が、写真画像１０４の下辺の右側の延長線上に略一致し、二次元コード１０５のシンボル本体の右下側の頂角が、写真画像１０４の右下側に本来あるべき頂角と略一致するという位置関係となっている。
【００７０】
この第４レイアウト例Ｌ４によれば、二次元コード１０５は、写真画像１０４の縁部分の一部を欠切した切欠凹部１０８に嵌め込まれ、その写真画像１０４の輪郭１０４ｃの一部を成すように配置されるので、二次元コード１０５が写真画像１０４の周辺領域１０６に配置されるとはいえ、二次元コード１０５と写真画像１０４とが互いに関係づけられている旨の印象を、看者に一層強く付与できる。
【００７１】
結果、印刷物１００の利用者たる看者に対して、二次元コード１０５が、写真画像１０４の主被写体１０４ａに関する情報を取得するための手段である旨を効果的に告知もできる。しかも、写真画像１０４の輪郭１０４ｃから不格好に出っ張った状態で二次元コード１０５を別途配置する必要もなく、写真画像１０４の周囲のレイアウト例を整然としたものにできる。
【００７２】
また、看者が写真画像１０４の主被写体１０４ａに注視した場合、自ずと写真画像１０４内に食い込んだ状態で配置される二次元コード１０５にも注目を促すこととなるため、この二次元コード１０５を用いた説明映像Ｍへのアクセス率を高めることができる。
【００７３】
しかも、二次元コード１０５は、写真画像１０４の周囲ともいえる箇所に配置されるとはいえ、写真画像１０４の隅部分であって被説明対象物（主被写体１０４ａ）を除いた背景画像１０４ｂに設けられる切欠凹部１０８に、当該写真画像１０４よりも小さなサイズで配置されるので、主被写体１０４ａ自体の視認性や画像品質を阻害することもない。
【００７４】
図３は、商品などに貼付されるラベルとして機能する印刷物１１０の一例を示した平面図である。図３に示すように、印刷物１１０は、野菜や果物などの農産物のパッケージや包装に貼付されるラベルの一種である。このラベルである印刷物１１０は、具体的には「キャベツ」に関する掲載情報１０２を有する商品ラベルであり、平面視略矩形状のラベル紙２０１で形成されている。
【００７５】
このラベル紙２０１には、その右側部分に、商品名「キャベツ」、原産地「石川県産」、重量「１００ｇ」、価格「１００円」、販売者名及びその住所が、記事文１０３として印刷により表記されている。また、ラベル紙２０１の左側部分には、主被写体１０４ａとして「キャベツ」が撮影された写真画像１０４が印刷により設けられており、上記した第２レイアウト例Ｌ２の印刷物１００と同様にして、写真画像１０４内に二次元コード１０５が印刷により配置されている。
【００７６】
図４（ａ）は、図３に例示したラベル（印刷物１１０）の写真画像１０４に写り込んでいる主被写体１０４ａである農産物「キャベツ」について補足又は詳細に説明する説明映像Ｍの構成（編成）例を示した概念図であり、図４（ｂ）は、説明映像Ｍに含まれている産地証明書等映像ｍ５において映像化されている産地証明書１２０の一例を図示したものであり、図４（ｃ）は、説明映像Ｍに含まれている保証書映像ｍ６において映像化されている保証書１３０の一例を図示したものである。
【００７７】
なお、図４（ｂ）及び図４（ｃ）では、産地証明書１２０及び保証書１３０に押印される証明者、生産者及び保証人の印影の図示を省略している。
【００７８】
図４（ａ）に示すように、説明映像Ｍは、写真画像１０４の主被写体１０４ａである農産物「キャベツ」に関する複数種類の説明情報を映像化したものを一連の映像データとして編成したものであり、主として、生産者映像ｍ１と、生産現場の屋外映像ｍ２と、生産現場の屋内映像ｍ３と、生産現場の管理状況映像ｍ４と、産地証明書等映像ｍ５と、保証書映像ｍ６とから編成されている。
【００７９】
生産者映像ｍ１は、農産物「キャベツ」の生産者の姿を実際に撮影して映像化した動画像であり、主として、写真画像１０４の主被写体１０４ａである農産物「キャベツ」の提供者を特定して説明することを目的とした映像である。生産現場の屋外映像ｍ２は、農産物「キャベツ」の生産現場の屋外（例えば、ビニールハウスの屋外等をいう。以下同じ。）の風景を実際に撮影して映像化した動画像であり、主として、写真画像１０４の主被写体１０４ａである農産物「キャベツ」の生産現場や提供現場を特定して説明することを目的とした映像である。
【００８０】
生産現場の屋内映像ｍ３は、農産物「キャベツ」の生産現場の屋内（例えば、ビニールハウスの屋内等をいう。以下同じ。）の風景を実際に撮影して映像化した動画像であり、上記した屋外映像と同様の目的を有する映像である。
【００８１】
生産現場の管理状況映像ｍ４は、農産物「キャベツ」の生産管理の状況を実際に撮影して映像化した動画像であり、例えば、ビニールハウス内で農産物「キャベツ」を栽培するような場合には、そのビニールハウス内の温度及び湿度等の各種の環境条件がコンピュータを用いて制御されている状況を撮影した動画像が用いられる。この管理状況映像は、主として、写真画像１０４の主被写体１０４ａである農産物「キャベツ」の生産、流通又は提供が厳格な管理の下に行われていることを説明することを目的としたものである。
【００８２】
産地証明書等映像ｍ５は、商品の産地証明、品種証明、銘柄証明又はこれらに類する証明内容が記載された書面であって当該商品の生産者組合、地方公共団体又はその他の公的機関が発行したもの（以下「産地証明書等」という。）の現物、例えば、図４（ｂ）に示すような内容が記載された産地証明書１２０の現物を、実際に撮影して映像化した静止画像であり、主として、写真画像１０４の主被写体１０４ａである農産物「キャベツ」の産地を特定して証明することを目的とした映像である。
【００８３】
保証書映像ｍ６は、この保証書映像ｍ６の他に説明映像Ｍに記録されている説明情報、例えば、図４（ａ）における生産者映像ｍ１、生産現場の屋外映像ｍ２、生産現場の屋内映像ｍ３、生産現場の管理状況映像ｍ４、産地証明書等映像ｍ５が真正のものである旨を保証した保証書１３０の現物を、実際に撮影して映像化した静止画像である。この保証書映像ｍ６は、主として、説明映像Ｍ自体の信憑性や信頼性を保証することを目的とした映像である。
【００８４】
例えば、保証書映像ｍ６に撮影される保証書１３０には、図４（ｃ）に示すように、説明映像Ｍに記録されている各種の説明情報について真正のものであることを保証する旨を記載した保証文書１３１と、農産物「キャベツ」の生産者自身及び公的若しくは民間の証明機関等の第三者による署名１３２と、かかる両者による押印（図示せず。）と、その署名した日付１３３とが記載されている。
【００８５】
なお、説明映像Ｍには、その説明映像Ｍ内に映像化されている各種説明情報を説明する音声ナレーションや各種のＢＧＭを音声情報として付加しても良く、説明映像Ｍの撮影時に録音された生産者の声や生産現場等の実際の音声を、説明映像Ｍに付加する音声情報として用いても良い。
【００８６】
図５は、説明映像配信サーバー１の電気的接続状態を示す概略図である。図５に示すように、説明映像配信サーバー１は、電気通信回線網３を介して利用者が使用する携帯電話機２と接続されており、この携帯電話機２との間で各種データを送受信可能となっている。なお、以下に説明するシステムは、説明の便宜上、上記した二次元コード１０５に関する第２レイアウト例Ｌ２を用いた印刷物１１０を使用した場合について説明するが、当然のことながら、二次元コード１０５に関する他のレイアウト例Ｌ１，Ｌ３，Ｌ４を用いた場合についても、同様に機能及び作用するものである。
【００８７】
この説明映像配信サーバー１は、印刷物１１０の被印刷面１０１に設けられる写真画像１０４の主被写体１０４ａについて更なる情報を提供するため、印刷物１１０の利用者が使用する携帯電話機２に対して、写真画像１０４の主被写体１０４ａに関する説明情報を説明映像Ｍ（図４参照。）の形式で電気通信回線網３を介して配信し、この説明映像Ｍを利用者に閲覧させることを通じて、当該写真画像１０４の主被写体１０４ａについて更なる説明をしようとするものである。
【００８８】
電気通信回線網３は、無線及び有線の通信網であり、例えば、パケット通信網、回線交換網、ＰＤＣ交換網、Ｗ−ＣＤＭＡ網、移動通信網、ＰＨＳ通信網、インターネット通信網等の各種のネットワーク網を含むものである。
【００８９】
携帯電話機２は、印刷物１１０の写真画像１０４の主被写体１０４ａについて更なる説明を希望する者（以下単に「利用者」という。）が使用する通信端末（通信端末）の一種であって、可搬型の電話機である。この携帯電話機２は、デジタルカメラ機能と、アプリケーションプログラムの実行機能と、ＱＲコード（登録商標）等に代表される二次元コード１０５を読み取るためのリーダー機能と、二次元コード１０５を解読するためのデコーダー機能と、各種映像を再生表示する映像再生表示機能と、各種音声を再生出力する音声再生出力機能とを備えている。
【００９０】
また、携帯電話機２は、数字、文字、操作指示等を入力するための複数のキースイッチ４ａを有した操作パネル４と、その操作パネル４を介して操作される各種の操作画面（Ｗｅｂページを含む。）や、各種映像（静止画像及び動画像の双方を含む。以下同じ。）を表示可能な液晶ディスプレイ（Liquid-Crystal-Display（以下「ＬＣＤ」と略記する。））５とを備えている。なお、ＬＣＤ５の画面に表示される各種の操作画面への操作は、操作パネル４の各キースイッチ４ａの操作を通じてなされる。
【００９１】
更に、携帯電話機２は、電気通信回線網３の一部となる移動通信網の基地局（図示せず）との間で無線通信を行うことで、通話機能およびパケット通信等のデータ通信機能を実現するものである。また、この携帯電話機２は、後述するようにＷＷＷ（World-Wide-Web）ブラウザ２４ａを搭載しており（図６参照。）、このＷＷＷブラウザ２４ａによって説明映像配信サーバー１にアクセス（接続）することで説明映像Ｍ（図４参照。）を取得するものである。なお、ＷＷＷブラウザのことを、ウェブブラウザ又はＷｅｂブラウザともいう。
【００９２】
図６は、携帯電話機２の電気的構成を示したブロック図である。図６に示すように、携帯電話機２は、主に、ＣＰＵ（Central-Processing-Unit）２１と、ＲＯＭ（Read-Only-Memory）２２と、ＲＡＭ（Random-Access-Memory）２３と、ＥＥＰＲＯＭ（Electrically-Erasable-Programmable-ROM）２４と、上記したＬＣＤ５を有する表示部２５と、上記した操作パネル４を有する操作入力部２６と、カメラ撮影部２７と、撮影ライト２８と、無線通信部２９と、通話処理部３０と、音声スピーカ３１とを備えている。また、これらの各部は、アドレスバス、データバス及びコントロールバスで構成されるバス３２を介して相互に接続されている。
【００９３】
ＣＰＵ２１は、ＲＯＭ２２、ＲＡＭ２３又はＥＥＰＲＯＭ２４に記憶格納されている各種プログラム及び各種データに基づいて、バス３２を介して接続されている装置各部に対する各種制御処理と、各種データの演算処理とを行う中央処理装置である。ＲＯＭ２２は、携帯電話機２の装置各部の基本制御を行うための各種プログラムや固定データ等が記憶される電気的にデータ書換不能な不揮発性メモリである。
【００９４】
ＲＡＭ２３は、ＣＰＵ２１のワーキングメモリとして用いられる電気的にデータ書換可能な揮発性メモリである。このＲＡＭ２３は、ＣＰＵ２１による各種演算に使用されるデータや、その演算結果に関するデータ等を一時的に記憶するものであり、例えば、二次元コード１０５の読取データ、二次元コード１０５の解読データ、説明映像配信サーバー１から配信されてくる説明映像Ｍのデータなどが一時的に記憶される。また、携帯電話機２のＣＰＵ２１で実行されるプログラムは、このＲＡＭ２３に展開されて実行される。
【００９５】
ＥＥＰＲＯＭ２４は、電気的にデータ書換可能な不揮発性メモリであり、将来的に更新、変更又は消去される可能性があり且つ電源オフ時にも記憶保持する必要性がある各種プログラムや各種データが記憶される。例えば、ＥＥＰＲＯＭ２４には、携帯電話機２用の基本ＯＳ（Operating-System）、Ｊａｖａ（登録商標）アプレット等の各種プログラム、各種映像データや各種音声データが記憶される。なお、ＥＥＰＲＯＭ２４に代えて、バッテリバックアップ機能を有するＳＲＡＭ（Static-RAM）を用いても良い。
【００９６】
また、このＥＥＰＲＯＭ２４には、上記した各種のプログラムやデータの他にも、下記するＷＷＷブラウザ２４ａ、コード読取解読プログラム２４ｂ、映像再生表示プログラム２４ｃ、及び、音声再生出力プログラム２４ｄが記憶格納されている。
【００９７】
ＷＷＷブラウザ２４ａは、携帯電話機２のデータ通信機能を実現するためのプログラムである。このＷＷＷブラウザ２４ａがＣＰＵ２１により実行されることによって、ＣＰＵ２１及び無線通信部２９は、インターネット通信網上の接続先情報であるＵＲＬ（Uniform-Resource-Locator）を用いて説明映像配信サーバー１にアクセス可能なアクセス装置として機能する。
【００９８】
コード読取解読プログラム２４ｂは、携帯電話機２において二次元コード１０５のリーダー機能及びデコーダー機能を実現するためのプログラムである。このコード読取解読プログラム２４ｂがＣＰＵ２１により実行されることによって、ＣＰＵ２１及び表示部２５は、二次元コード１０５を読み取り及び解読するためのリード装置（リーダー（読取装置））及びデコード装置（デコーダー）として機能する。
【００９９】
映像再生表示プログラム２４ｃは、携帯電話機２において各種映像の再生表示機能を実現するためのプログラムである。この映像再生表示プログラム２４ｃがＣＰＵ２１により実行されることによって、ＣＰＵ２１及び表示部２５は、説明映像配信サーバー１から受信した説明映像Ｍ、その他の各種映像を再生表示するための映像再生表示装置（映像表示装置）として機能する。
【０１００】
音声再生出力プログラム２４ｄは、携帯電話機２において各種音声データや音楽データを再生して音声スピーカ３１へ出力する音声再生出力機能を実現するためのプログラムである。この音声再生出力プログラム２４ｄがＣＰＵ２１により実行されることによって、ＣＰＵ２１および音声スピーカ３１は、説明映像配信サーバー１から受信した説明映像Ｍに付加されている音声情報データを再生して出力するための音声再生出力装置（音声再生出力手段）として機能する。
【０１０１】
表示部２５は、上記したＬＣＤ５と、このＬＣＤ５の表示制御を行う駆動回路２５ａとを備えており、二次元コード１０５の読み取り時のモニタ映像や、説明映像Ｍの再生映像を表示するためのものである。
【０１０２】
操作入力部２６は、上記した操作パネル４を有しており、この操作パネル４のキースイッチ４ａ（図５参照。）を用いた操作に応じた操作信号をＣＰＵ２１へ出力するものである。つまり、操作入力部２６は、携帯電話機２に装備されている各種機能、例えば、通話機能、データ通信機能、デジタルカメラ機能、アプリケーションプログラム実行機能、及び、二次元コード１０５のリーダー機能及びデコーダー機能等を操作する場合における操作装置及び入力装置として機能するものである。
【０１０３】
カメラ撮影部２７は、携帯電話機２に内蔵されるＣＣＤ（Charge-Coupled-Device）カメラ２７ａを備えており、通常の撮影用カメラとして機能するとともに、二次元コード１０５のリーダ装置の一部としても機能するものである。更に、撮影ライト２８は、通常の撮影時、及び、二次元コード１０５の読み取り時などに発光して被対象物を照明するものであり、例えば、高輝度ＬＥＤ等が用いられる。
【０１０４】
無線通信部２９は、電波を送受信するアンテナ２９ａを備えており、このアンテナ２９ａを介して電気通信回線網３の一部をなす基地局（図示せず。）との間でなされる無線通信を制御するものである。この無線通信部２９は、ＣＰＵ２１による制御を受けて、例えば、パケット通信用のデータや送話音声に関するデータ等を搬送波に重畳して送信信号を生成し、この送信信号を基地局へ無線送信するものである。また、この無線通信部２９は、基地局から無線送信されてくる無線信号をアンテナ２９ａを介して受信し、この受信信号をパケット通信用のデータや受話音声に関するデータ等に復調するものである。
【０１０５】
通話処理部３０は、例えば、送話用マイク３０ａと受話用スピーカ３０ｂと音声処理回路３０ｃとを備えており、ＣＰＵ２１による制御を受けて、呼の接続や切断等の通話処理を行うものである。また、音声スピーカ３１は、通話時の着信音や各種の音声情報を音声として出力するものであり、説明映像配信サーバー１から受信した説明映像Ｍに付加される音声情報も、この音声スピーカ３１によって出力される。
【０１０６】
図７（ａ）は、携帯電話機２のＬＣＤ５に表示される二次元コード読取操作画面３５の一例を図示した図であり、図７（ｂ）は、携帯電話機２のＬＣＤ５に表示されるＵＲＬアクセス操作画面３６の一例を示した図である。
【０１０７】
図７（ａ）に示されている二次元コード読取操作画面３５は、上記したコード読取解読プログラム２４ｂが携帯電話機２のＣＰＵ２１により実行されることによって、ＬＣＤ５に表示される操作画面の一種である。この二次元コード読取操作画面３５の略中央には、カメラ撮影部２７によって撮像される二次元コード１０５の映像がモニタ表示されるモニタフレーム３５ａが設けられている。二次元コード１０５の映像は、カメラ撮影部２７のＣＣＤカメラ２７ａによって撮像された映像信号が表示部２５へ入力されることで、ＬＣＤ５を介してモニタフレーム３５ａ内に表示される。
【０１０８】
また、二次元コード読取操作画面３５には、モニタフレーム３５ａの下側部分に「読取」と表示された読取ボタン３５ｂが設けられている。この読取ボタン３５ｂが操作パネル４の所定のキースイッチ４ａを押下することでクリックされると、二次元コード１０５がカメラ撮影部２７によって自動的に読み取られ、その読取画像信号がカメラ撮影部２７からＣＰＵ２１へ入力され、このＣＰＵ２１により解読（復号化）され、その解読結果がＵＲＬアクセス操作画面３６を用いてＬＣＤ５に表示される。
【０１０９】
図７（ｂ）に示されているＵＲＬアクセス操作画面３６は、コード読取解読プログラム２４ｂが携帯電話機２のＣＰＵ２１により実行され、かつ、上記した二次元コード読取操作画面３５内の読取ボタン３５ｂがクリックされた場合に、二次元コード１０５から読み取り解読される説明映像ＵＲＬを、ＬＣＤ５に表示する操作画面である。
【０１１０】
このＵＲＬアクセス操作画面３６には、例えば、「http://www.**-qrdemovie.com/watch/shoumei_mv0001.3gp」等のように、解読された説明映像ＵＲＬが表示されるＵＲＬフレーム３６ａが設けられている。また、このＵＲＬフレーム３６ａの下側部分には、「接続」と表示された接続ボタン３６ｂが設けられている。ここで、このＵＲＬフレーム３６ａに表示される説明映像ＵＲＬにカーソルを合わせて（図示するように文字が白抜きとなった状態を意味する。）、操作パネル４の所定のキースイッチ４ａを押下することで接続ボタン３６ｂがクリックされると、ＵＲＬフレーム３６ａ内に表示されている説明映像ＵＲＬを用いて、説明映像配信サーバー１の説明映像格納エリア４６ｂ（図８参照。）に格納されている説明映像Ｍに対してアクセスが行われる。
【０１１１】
なお、本実施例では、説明映像ＵＲＬに指定されている文字列が示す記述内容自体を、説明映像配信サーバー１のＨＤ４６内の説明映像格納エリア４６ｂにおける説明映像Ｍの記憶アドレスを特定する内容とすることによって、説明映像ＵＲＬとそれに対応する説明映像Ｍとについての関係づけが行われている。
【０１１２】
図８は、説明映像配信サーバー１の電気的構成を示したブロック図である。図８に示すように、説明映像配信サーバー１は、主に、ＣＰＵ４１と、ＲＯＭ４２と、ＲＡＭ４３と、バス４４と、入出力回路４５と、大容量の補助記憶装置であるハードディスク（以下「ＨＤ」という。）４６と、ポインティングデバイスであるマウス４７と、複数のキースイッチを有するキーボード４８と、各種情報が表示される表示画面を有するディスプレイ４９と、電気通信回線網３と接続されて各種データを送受信するための制御を行う通信制御回路５０とを備えている。
【０１１３】
ＣＰＵ４１は、説明映像配信サーバー１の各部に対する各種制御処理と各種データの演算処理とを行う中央処理装置であり、後述する説明映像配信プログラム４６ａ及びその他の各種プログラムを実行するものである。ＲＯＭ４２は、ＢＩＯＳ（Basic-Input/Output-System）などの基本プログラムが記憶され、ＥＥＰＲＯＭ（フラッシュメモリを含む。）等のデータ書換可能な不揮発性メモリで構成されている。ＲＡＭ４３は、説明映像配信サーバー１のメインメモリとして機能し、各種演算処理や制御処理におけるワークエリアとして用いられるものであって、ＤＲＡＭ等のデータ書換可能な揮発性メモリで構成されている。
【０１１４】
バス４４は、アドレスバス、データバス及びコントロールバスで構成され、上記したＣＰＵ４１、ＲＯＭ４２及びＲＡＭ４３を相互に接続し、更に、入出力回路４５とも接続されている。また、入出力回路４５は、ＨＤ４６、マウス４７、キーボード４８、ディスプレイ４９、及び、通信制御回路５０とそれぞれ接続されている。また、ＨＤ４６には、説明映像配信サーバー１用の基本ＯＳ、各種のアプリケーションプログラムその他各種のデータが記憶される他、説明映像配信プログラム４６ａが記憶され、更に、説明映像格納エリア４６ｂが設けられている。
【０１１５】
説明映像配信プログラム４６ａは、携帯電話機２から説明映像ＵＲＬを用いたアクセスがあった場合に、そのアクセスしてきた携帯電話機２に対して、その説明映像ＵＲＬに指定されている内容から特定される説明映像Ｍを配信するためのプログラムであって、図９のフローチャートに示す説明映像配信処理を実行するものである。また、説明映像格納エリア４６ｂは、印刷物１１０における写真画像１０４の主被写体１０４ａに関する説明映像Ｍを記憶格納するための記憶領域であり、上記した各種の説明映像Ｍが多数記憶可能に構成されている。
【０１１６】
次に、図９を参照して、説明映像配信サーバー１から携帯電話機２へ説明映像Ｍを配信するための一連の処理について説明する。
【０１１７】
図９は、説明映像配信サーバー１及び携帯電話機２で実行される一連の処理を示したフローチャートである。図９に示すように、まずは、利用者が印刷物１１０の被印刷面１０１に設けられる写真画像１０４の主被写体１０４ａについて更なる説明情報を取得したい場合、その利用者が携帯電話機２の操作パネル４を用いて所定の操作を行って、コード読取解読プログラム２４ｂをＣＰＵ２１により実行すると、携帯電話機２において二次元コード１０５のリーダー機能が起動される（Ｓ１）。
【０１１８】
この起動によって、携帯電話機２のＬＣＤ５には上記した二次元コード読取操作画面３５（図７（ａ）参照。）が表示される（Ｓ２）。すると、この二次元コード読取操作画面３５のモニタフレーム３５ａには、カメラ撮影部２７を介して撮像される映像がモニタ表示される。また、二次元コード読取操作画面３５の表示後は、読取ボタン３５ｂがクリックされるまで処理を待機する（Ｓ３：Ｎｏ）。
【０１１９】
このＳ３の処理による待機中において、利用者は、二次元コード読取操作画面３５内のモニタフレーム３５ａに表示される映像を見ながら、モニタフレーム３５ａ内に二次元コード１０５全体の映像が表示されるように、印刷物１１０の写真画像１０４に附帯配置された二次元コード１０５と携帯電話機２のカメラ撮影部２７のレンズ（図示せず）との距離を調整する。その後、操作パネル４の所定のキースイッチ４ａを押下することで読取ボタン３５ｂがクリックされると（Ｓ３：Ｙｅｓ）、二次元コード１０５がカメラ撮影部２７によって自動的に読み取られる（Ｓ４）。
【０１２０】
すると、携帯電話機２では、コード読取解読プログラム２４ｂに基づいて二次元コード１０５のデコーダー機能が起動されて、二次元コード１０５の読取画像から、この二次元コード１０５に記録されている説明映像ＵＲＬが解読される（Ｓ５）。この解読が完了すると、ＵＲＬアクセス操作画面３６（図７（ｂ）参照。）が携帯電話機２のＬＣＤ５に表示され、そのＵＲＬアクセス操作画面３６のＵＲＬフレーム３６ａ内には、二次元コード１０５から解読された説明映像ＵＲＬを表す文字列が表示される（Ｓ６）。
【０１２１】
このＵＲＬアクセス操作画面３６の表示後は、接続ボタン３６ｂがクリックされるまで処理を待機する（Ｓ７：Ｎｏ）。そして、操作パネル４の所定のキースイッチ４ａを押下することで、接続ボタン３６ｂがクリックされると（Ｓ７：Ｙｅｓ）、携帯電話機２のＣＰＵ２１によってＷＷＷブラウザ２４ａが実行され、そのＵＲＬフレーム３６ａに表示されている説明映像ＵＲＬを用いて、説明映像配信サーバー１に対する電気通信回線網３を介したアクセスが行われる（Ｓ８）。
【０１２２】
これに対し、説明映像配信サーバー１では、携帯電話機２からの説明映像ＵＲＬを用いたアクセスがあると（Ｓ９：Ｙｅｓ）、説明映像配信サーバー１のＣＰＵ４１によって説明映像配信プログラム４６ａが実行され、携帯電話機２からアクセスのあった説明映像ＵＲＬの記述内容から特定される説明映像Ｍを、説明映像格納エリア４６ｂから読み出し、この説明映像ＵＲＬにアクセスしてきた携帯電話機２に対して配信する（Ｓ１０）。
【０１２３】
なお、Ｓ１０による説明映像Ｍの配信後、又は、携帯電話機２から説明映像ＵＲＬへアクセスがない場合（Ｓ９：Ｎｏ）は、他の処理（Ｓ１１）を実行した後、処理をＳ９へ移行する。
【０１２４】
一方、携帯電話機２では、説明映像ＵＲＬを用いて説明映像配信サーバー１へアクセス実行してから（Ｓ８）、説明映像Ｍを受信するまで処理を待機しており（Ｓ１２：Ｎｏ）、説明映像配信サーバー１から説明映像Ｍを受信すると（Ｓ１２：Ｙｅｓ）、映像再生表示プログラム２４ｃを実行し、この説明映像Ｍを再生してＬＣＤ５に表示した後（Ｓ１３）、この一連の処理を終了する。なお、Ｓ１３の処理では、説明映像Ｍに音声情報が付加されていれば、音声再生出力プログラム２４ｄを実行して、その音声情報を再生して音声スピーカ３１から出力する。
【０１２５】
このように、本実施例の説明映像配信サーバー１によれば、携帯電話機２の利用者は、その携帯電話機２を用いて、印刷物１１０の写真画像１０４に写された主被写体１０４ａについての説明映像Ｍを閲覧することで、当該写真画像１０４の主被写体１０４ａについて更なる説明情報を知ることができる。
【０１２６】
次に、図１０、図１１及び図１２を参照して、上記実施例の変形例について説明する。この第２実施例の説明映像配信サーバー６０（図１１参照）は、上記した第１実施例の説明映像配信サーバー１に対し、携帯電話機２からのアクセス方式を変更したものである。以下、第１実施例と同一の部分には同一の符号を付して、その説明を省略し、異なる部分のみを説明する。
【０１２７】
ここで、第２実施例において、印刷物１１０の写真画像１０４に附帯配置される二次元コード１０５は、その写真画像１０４についての説明映像Ｍを取得するための専用ページ３７（図１０（ｂ）参照。）に関するＵＲＬ（以下、「専用ページＵＲＬ」ともいう。）を記録したものである。また、この専用ページＵＲＬは、携帯電話機２のＷＷＷブラウザ２４ａ等を用いて、説明映像配信サーバー６０によって公開されている専用ページ３７に、電気通信回線網３（特に、インターネット通信網）を介してアクセスするための接続先情報である。
【０１２８】
つまり、第１実施例における二次元コード１０５には、説明映像ＵＲＬが記録されていたのに対し、第２実施例における二次元コード１０５には、専用ページＵＲＬが記録されるのである。したがって、第２実施例においては、図７（ａ）に示した二次元コード読取操作画面３５を用いて二次元コード１０５が読み取られて解読された場合、その解読結果として、専用ページＵＲＬがＵＲＬアクセス操作画面３６のＵＲＬフレーム３６ａ内に表示されることとなる（図１０（ａ）参照。）。
【０１２９】
図１０（ａ）は、携帯電話機２のＬＣＤ５に表示されるＵＲＬアクセス操作画面３６の一例を示した図であり、図１０（ｂ）は、専用ページ３７の一例を示した図であり、図１０（ｃ）は、専用ページ３７が携帯電話機２のＬＣＤ５に表示された状態を示した図である。
【０１３０】
図１０（ａ）に示されているＵＲＬアクセス操作画面３６は、コード読取解読プログラム２４ｂが携帯電話機２のＣＰＵ２１により実行され、かつ、上記した二次元コード読取操作画面３５内の読取ボタンがクリックされた場合に、二次元コード１０５から読み取り解読される専用ページＵＲＬを、ＬＣＤ５に表示する操作画面である。
【０１３１】
このＵＲＬアクセス操作画面３６には、例えば、「http://www.**-qrdemovie.com/senyou_pg0001.html」等のように、解読された専用ページＵＲＬが表示されるＵＲＬフレーム３６ａが設けられている。ここで、このＵＲＬフレーム３６ａに表示される専用ページＵＲＬにカーソルを合わせて（図示するように文字が白抜きとなった状態を意味する。）、操作パネル４の所定のキースイッチ４ａを押下することで接続ボタン３６ｂがクリックされると、ＵＲＬフレーム３６ａ内に表示されている専用ページＵＲＬを用いて、説明映像配信サーバー６０の専用ページ格納エリア６１ｃ（図１１参照。）に格納されている専用ページ３７に対してアクセスが行われる。
【０１３２】
なお、本実施例では、専用ページＵＲＬに指定されている文字列が示す記述内容自体を、説明映像配信サーバー６０のＨＤ６１内の専用ページ格納エリア６１ｃ（図１１参照。）における専用ページ３７の記憶アドレスを特定する内容とすることによって、専用ページＵＲＬとそれに対応する専用ページ３７とについての関係づけが行われている。
【０１３３】
図１０（ｂ）に示されている専用ページ３７は、電気通信回線網３を介して他のＷｅｂページに対してリンク不能な非リンクＷｅｂページであって、スクロールすることによって携帯電話機２のＬＣＤ５に全体が表示される構成となっていることが好ましい。また、この専用ページ３７は、説明映像Ｍを説明映像配信サーバー６０から取得するための操作画面でもある。
【０１３４】
図１０（ｂ）に示すように、専用ページ３７のページトップには、当該専用ページ３７を用いて取得できる説明映像Ｍの１カット（１フレーム）を静止画像で表示するカットフレーム３７ａが設けられており、このカットフレーム３７ａの直下には「動画を再生する」という表示３７ｂがなされている。この「動画を再生する」という表示３７ｂには、例えば、「http://www.**-qrdemovie.com/watch/shoumei_mv0001.3gp」等のように説明映像ＵＲＬが非表示状態で記録されている。また、「動画を再生する」という表示３７ｂの下側には、写真画像１０４の主被写体１０４ａとなっている農産物「キャベツ」の生産者名と、その主被写体１０４ａである農産物「キャベツ」の産地、品種、栽培方法、提供者からのコメント、問い合わせ先などの各種の文字情報３７ｃが表示されている。
【０１３５】
図１０（ｃ）に示すように、専用ページ３７が携帯電話機２のＬＣＤ５に表示される場合、このＬＣＤ５の画面枠の下側部分には、「接続」と表示された接続ボタン３７ｄが設けられる。ここで、ＬＣＤ５に表示される専用ページ３７の「動画を再生する」の表示３７ｂにカーソルを合わせた上で（図示するように文字が白抜きとなった状態を意味する。）、操作パネル４の所定のキースイッチ４ａを押下することで接続ボタン３７ｄがクリックされると、説明映像ＵＲＬを用いて、説明映像配信サーバー６０の説明映像格納エリア４６ｂに格納されている説明映像Ｍに対してアクセスが行われる。
【０１３６】
なお、本実施例では、専用ページＵＲＬを用いて説明映像配信サーバー６０から取得される専用ページ３７の中に、説明映像Ｍを取得するための説明映像ＵＲＬを予め記録しておくことで、専用ページＵＲＬとそれに対応する説明映像ＵＲＬとについての関係づけが行われている。
【０１３７】
図１１は、第２実施例の説明映像配信サーバー６０の電気的構成を示したブロック図である。図１０に示すように、説明映像配信サーバー６０のＨＤ６１には、専用ページ配信プログラム６１ａと、説明映像配信プログラム６１ｂとが記憶され、更に、専用ページ格納エリア６１ｃと説明映像格納エリア４６ｂとがそれぞれ設けられている。
【０１３８】
専用ページ配信プログラム６１ａは、携帯電話機２から専用ページＵＲＬを用いたアクセスがあった場合に、そのアクセスしてきた携帯電話機２に対して、その専用ページＵＲＬに指定されている内容から特定される専用ページ３７を配信するためのプログラムであって、図１２のフローチャートに示す専用ページ配信処理を実行するものである。
【０１３９】
説明映像配信プログラム６１ｂは、専用ページ３７に記録されている説明映像ＵＲＬを用いたアクセスがあった場合に、そのアクセスしてきた携帯電話機２に対して、その説明映像ＵＲＬに指定されている内容から特定される説明映像Ｍを配信するためのプログラムであって、図１２のフローチャートに示す説明映像配信処理を実行するものである。
【０１４０】
専用ページ格納エリア６１ｃは、被印刷面１０１に設けられる写真画像１０４の主被写体１０４ａに関する専用ページ３７を記憶格納するための記憶領域であり、上記した各種の専用ページ３７が多数記憶可能に構成されている。なお、説明映像格納エリア４６ｂについては、第１実施例のものと同様に構成されている。
【０１４１】
次に、図１２を参照して、第２実施例の説明映像配信サーバー６０から携帯電話機２へ説明映像Ｍを配信するための一連の処理について説明する。
【０１４２】
図１２は、第２実施例の説明映像配信サーバー６０及び携帯電話機２で実行される一連の処理を示したフローチャートであって、図９に示したフローチャートの一部を変更したものである。以下、図９に示すフローチャートと同一の部分については同一の符号を付して、その説明を省略し、異なる部分のみを説明する。
【０１４３】
図１２に示すように、まずは、利用者が印刷物１１０の被印刷面１０１に設けられる写真画像１０４の主被写体１０４ａについて更なる説明情報を知りたい場合、Ｓ１〜Ｓ３の処理が実行されて、二次元コード１０５がカメラ撮影部２７によって自動的に読み取られると（Ｓ４）、携帯電話機２では、コード読取解読プログラム２４ｂに基づいて二次元コード１０５のデコーダー機能が起動されて、二次元コード１０５の読取画像から、この二次元コード１０５に記録されている専用ページＵＲＬが解読される（Ｓ２１）。
【０１４４】
このＳ２１による解読が完了すると、ＵＲＬアクセス操作画面３６（図１０（ａ）参照。）が携帯電話機２のＬＣＤ５に表示され、そのＵＲＬアクセス操作画面３６のＵＲＬフレーム３６ａ内には、二次元コード１０５から解読された専用ページＵＲＬを表す文字列が表示される（Ｓ２２）。このＵＲＬアクセス操作画面３６の表示後は、接続ボタン３６ｂがクリックされるまで処理を待機する（Ｓ２３：Ｎｏ）。
【０１４５】
そして、操作パネル４の所定のキースイッチ４ａを押下することで、接続ボタン３６ｂがクリックされると（Ｓ２３：Ｙｅｓ）、携帯電話機２のＣＰＵ２１によってＷＷＷブラウザ２４ａを実行し、そのＵＲＬフレーム３６ａに表示されている専用ページＵＲＬを用いて、説明映像配信サーバー６０に対する電気通信回線網３を介したアクセスが行われる（Ｓ２４）。
【０１４６】
携帯電話機２からの専用ページＵＲＬを用いたアクセスがあると（Ｓ２５：Ｙｅｓ）、説明映像配信サーバー６０では、そのＣＰＵ４１によって専用ページ配信プログラム６１ａが実行され、携帯電話機２からアクセスのあった専用ページＵＲＬの記述内容から特定される専用ページ３７を、専用ページ格納エリア６１ｃから読み出し、この専用ページ３７に関する専用ページＵＲＬを用いてアクセスしてきた携帯電話機２に対して配信する（Ｓ２６）。
【０１４７】
なお、Ｓ２６による専用ページ３７の配信後、又は、携帯電話機２から専用ページＵＲＬへアクセスがない場合（Ｓ２５：Ｎｏ）は、Ｓ９の判断処理を実行し、携帯電話機２からの説明映像ＵＲＬを用いたアクセスがなければ（Ｓ９：Ｎｏ）、Ｓ１０の処理をスキップして、他の処理（Ｓ１１）を実行した後、処理をＳ２５へ移行する。
【０１４８】
一方、携帯電話機２では、専用ページＵＲＬを用いて説明映像配信サーバー６０へアクセス実行してから（Ｓ２４）、専用ページ３７を受信するまで処理を待機しており（Ｓ２７：Ｎｏ）、説明映像配信サーバー６０から専用ページ３７を受信すると（Ｓ２７：Ｙｅｓ）、ＷＷＷブラウザ２４ａを起動して、この専用ページ３７をＬＣＤ５に表示する（Ｓ２８）。
【０１４９】
この専用ページ３７の表示後は、「動画を再生する」の表示３７ｂにカーソルが合わせられて（図１０（ｃ）参照。）、接続ボタン３７ｄがクリックされるまで処理を待機する（Ｓ２９：Ｎｏ）。そして、操作パネル４の所定のキースイッチ４ａを押下することで、接続ボタン３７ｄがクリックされると（Ｓ２９：Ｙｅｓ）、携帯電話機２のＣＰＵ２１によってＷＷＷブラウザ２４ａを実行し、この専用ページ３７において「動画を再生する」の表示３７ｂに関係づけて記録されている説明映像ＵＲＬを用いて、説明映像配信サーバー６０に対する電気通信回線網３を介したアクセスが行われる（Ｓ３０）。また、図１２におけるＳ３０の処理より以降については、図９に示すＳ９〜Ｓ１３と同様に処理されるので説明を省略する。
【０１５０】
なお、請求項１記載の「説明映像をネットワークを介して取得するための接続先情報」としては、第１実施例においては説明映像ＵＲＬが、第２実施例においては専用ページＵＲＬが、それぞれ該当する。
【０１５１】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１５２】
例えば、本実施例では、通信端末の一例として携帯電話機２を用いて説明したが、この通信端末の種類は、必ずしも携帯電話機に限定されるものではなく、二次元コード１０５のリーダー機能及びデコーダー機能を有するとともに電気通信回線網３を介した説明映像配信サーバー６０とのデータ通信機能を有する機器であれば、パーソナルコンピュータなどの汎用コンピュータや、機能を特化させた専用装置、例えば、モバイルコンピュータ、ＰＤＡ（Personal-Digital-Assistance）、携帯ゲーム機などであっても良い。
【０１５３】
また、本実施例では、携帯電話機２として移動通信網を介して各種通信を行う可搬型の電話機を用いて説明したが、かかる携帯電話機の種類は、必ずしもこれに限定されるものではなく、例えば、ＰＨＳ通信方式による可搬型の電話機であっても良い。
【０１５４】
また、本実施例では、二次元コード１０５としてＱＲコードを用いて、本発明における識別マークを説明したが、かかる識別マークは必ずしもＱＲコードに限定されるものではなく、例えば、スタック型又は他のマトリックスの二次元コード、バーコード等の１次元コード、又は、ＲＦＩＤ等のＩＣタグに格納されるコードを、適宜用いても良い。ただし、利用促進を図る意味では、使用する識別マークの周知度や、その識別マークのリーダ装置の普及率を考慮すべきである。
【０１５５】
また、本実施例では、説明映像Ｍを、生産者映像ｍ１、生産現場の屋外映像ｍ２、屋内映像ｍ３及び管理状況映像ｍ４、産地証明書等映像ｍ５、並びに、保証書映像ｍ６の合計６種類の説明情報を映像化したもので編成したが、説明映像の内容構成は、必ずしもこれに限定されるものではなく、これらのうち２種類以上を組み合わせたものであっても良い。しかも、説明情報の種類は、必ずしもこれらに限定されるものではなく、印刷物１００，１１０の被印刷面１０１に設けられる写真画像１０４の主被写体１０４ａについて更なる説明情報を提供する内容のものであれば、適宜変更することは当然にしても良い。
【０１５６】
また、本実施例では、説明映像Ｍに編成されている生産者映像ｍ１、生産現場の屋外映像ｍ２、屋内映像ｍ３及び管理状況映像ｍ４を動画像で構成したが、これらの各映像を静止画像として、説明映像全体を複数の静止画像から編成し、各静止画像が一定時間表示された次の静止画像へ経時的かつ連続的に移り変わっていく擬似的な動画像としても良い。また、かかる場合に、一の静止画像から次の静止画像へ移行する際に種々のトランジションエフェクトを施したりしても良い。
【０１５７】
ところで、本実施例では、説明映像Ｍを動画像又は擬似的な動画像で構成する旨説明したが、かかる説明映像の形態は、必ずしも動画像や擬似的な動画像に限定されるものではなく、単なる静止画像であっても良い。
【０１５８】
例えば、第２実施例では、専用ページ３７に「動画を再生する」という表示３７ｂを設け、この表示３７ｂに説明映像ＵＲＬを非表示状態で記録し、この説明映像ＵＲＬを用いて動画像又は擬似的動画像である説明映像Ｍへアクセス可能なものとしたが、専用ページ３７のカットフレーム３７ａの直下に「静止画像を表示する」等の表示を設け、この表示に説明映像である静止画像にアクセスするための説明映像ＵＲＬを記録して、この説明映像ＵＲＬを用いて説明映像である静止画像にアクセス可能に構成しても良い。
【０１５９】
また、かかる場合には、説明映像配信サーバーの説明映像格納エリアに写真画像の主被写体に関する説明映像である静止画像を複数種格納しておき、これらの説明画像にアクセスするために用いられる複数の説明映像ＵＲＬを、専用ページに記録するようにしても良い。つまり、説明映像として複数の静止画像を用いて、印刷物の写真画像の主被写体を説明するようにしても良い。
【０１６０】
このように、説明映像を静止画像とすることで、携帯電話機を用いて説明画像を受信する場合の通信料を動画像の説明映像の場合に比べて低減することができ、その分、説明映像の利用率を向上することができる。
【０１６１】
また、本実施例では、印刷物１００，１１０の被印刷面１０１に設けられる写真画像１０４の主たる主被写体１０４ａが、ショートケーキやキャベツなどの商品である場合についての説明映像Ｍを例示したが、印刷物１００，１１０の被印刷面１０１に設けられる写真画像１０４がサービス業務に関する内容である場合には、そのサービス業者が顧客に対し実際にサービスを提供している現場を撮影した映像を用いるようにしても良い。例えば、サービス提供者が美容院や理容店である場合はヘアカット場面を、飲食店の場合は調理場面や給仕場面を、説明映像に含めるようにしても良い。
【０１６２】
更に、マンション、住宅その他の建築物や土地などの不動産について販売、販売仲介、賃貸又は賃貸仲介等する業者が、その実際に販売等する不動産を撮影した映像（例えば、建築物の内外、土地、その周辺環境を撮影した映像）や、その不動産に関する工事現場などを撮影した映像を、説明映像に含めるようにしても良い。
【０１６３】
また、美容整形やエステティック等の施術を行うサービス提供者が、自己のサービス環境や施術現場を撮影した映像を、説明映像に含めるようにしても良い。このように、印刷物１００，１１０の被印刷面１０１に設けられる写真画像１０４の主被写体１０４ａに関する説明映像は、一定の業種において利用が限定されるものではなく、被印刷面１０１に設けられる写真画像１０４を利用者に提供し且つその内容に関する更なる説明を告知することを求める業種であれば、どの業種でも広く利用することができるものである。
【０１６４】
また、本実施例では、説明映像Ｍを２種類以上の説明情報から編成される一連の映像データとして説明したが、かかる説明映像の構成は必ずしもこれに限定されるものではなく、１種類の説明情報のみから説明映像を構成しても良い。例えば、上記した生産者映像ｍ１、生産現場の屋外映像ｍ２、屋内映像ｍ３若しくは管理状況映像ｍ４、又は、産地証明書等映像ｍ５のいずれか１種類のみから構成したものであっても良い。
【０１６５】
また、本実施例では、印刷物１００，１１０の被印刷面１０１に設けられる写真画像１０４に関する説明映像Ｍとして、図４（ａ）に示すような内容構成を有するものを例示して説明したが、かかる説明映像として、商品の生産者、製造者又は販売者に関するコマーシャル映像や、各種サービスの提供者に関するコマーシャル映像を用いても良い。
【０１６６】
また、本実施例では、説明映像配信サーバー１と電気通信回線網３を介して接続される携帯電話機２が３台のみであるかのように図５において図示したが、かかる説明映像配信サーバーに電気通信回線網を介して接続される携帯電話機の台数は、必ずしもこれに限定されるものではなく、これ以下でもこれ以上であっても良い。
【０１６７】
また、本実施例では、被印刷面１０１に設けられる写真画像１０４内又はその周辺領域１０６に二次元コード１０５を配置することで、この二次元コード１０５にコード化されて記録される説明映像ＵＲＬ又は専用ページＵＲＬを用いてアクセスすることが可能な説明映像Ｍと、その説明映像Ｍによって説明される写真画像１０４の主被写体１０４ａとを関係づけられた。
【０１６８】
しかし、かかる主被写体と二次元コードとを関係づける方式は必ずしもこれに限定されるものではなく、例えば、写真画像から二次元コードが離れた箇所に配置せざるを得ない場合であっても、二次元コード又は主被写体の一方から他方へ向かう矢印表示を被印刷面上に印刷して、かかる矢印表示を用いて主被写体と二次元コードとを相互に関係づけるようにしても良い。
【０１６９】
また、上記した第２レイアウト例から第４レイアウト例では、二次元コード１０５の配置箇所を、写真画像１０４の主被写体１０４ａを邪魔しない箇所と説明したが、かかる二次元コードの配置箇所は必ずしも主被写体から離れた箇所に限定されるものではなく、例えば、二次元コードが主被写体の画像全体に重畳して主被写体の画像の判別が困難となるものでなければ、二次元コードを主被写体の一部分に重畳させたり、表示枠や切欠凹部を主被写体の一部分を欠切するようにして設けても良い。
【図面の簡単な説明】
【０１７０】
【図１】雑誌である印刷物の被印刷面に掲載される掲載情報のレイアウト例を図示した平面図であって、（ａ）は、二次元コードの第１レイアウト例を図示したものであり、（ｂ）は、二次元コードの第２レイアウト例を図示したものである。
【図２】雑誌である印刷物の被印刷面に掲載される掲載情報のレイアウト例を図示した平面図であって、（ａ）は、二次元コードの第３レイアウト例を図示したものであり、（ｂ）は、二次元コードの第４レイアウト例を図示したものである。
【図３】商品などに貼付されるラベルとして機能する印刷物の一例を示した平面図である。
【図４】（ａ）は、図３に例示した印刷物の写真画像に写り込んでいる主被写体である農産物「キャベツ」に関する説明映像Ｍの構成例を示した概念図であり、（ｂ）は、説明映像に含まれている産地証明書等映像において映像化されている産地証明書の一例を図示したものであり、（ｃ）は、説明映像に含まれている保証書映像において映像化されている保証書の一例を図示したものである。
【図５】説明映像配信サーバーの電気的接続状態を示す概略図である。
【図６】携帯電話機の電気的構成を示したブロック図である。
【図７】（ａ）は、携帯電話機のＬＣＤに表示される二次元コード読取操作画面の一例を図示した図であり、（ｂ）は、携帯電話機のＬＣＤに表示されるＵＲＬアクセス操作画面の一例を示した図である。
【図８】説明映像配信サーバーの電気的構成を示したブロック図である。
【図９】説明映像配信サーバー及び携帯電話機で実行される一連の処理を示したフローチャートである。
【図１０】（ａ）は、携帯電話機のＬＣＤに表示されるＵＲＬアクセス操作画面の一例を示した図であり、（ｂ）は、専用ページの一例を示した図であり、（ｃ）は、専用ページが携帯電話機のＬＣＤに表示された状態を示した図である。
【図１１】第２実施例の説明映像配信サーバーの電気的構成を示したブロック図である。
【図１２】第２実施例の説明映像配信サーバー及び携帯電話機で実行される一連の処理を示したフローチャートであって、図９を一部変更したものである。
【符号の説明】
【０１７１】
１                  説明映像配信サーバー（サーバー装置）
２                  携帯電話機（通信端末）
３                  電気通信回線網（ネットワーク）
３７                専用ページ
４６ｂ              説明映像格納エリア（映像記憶装置）
１００，１１０      印刷物（印刷媒体）
１０１              被印刷面
１０４              写真画像
１０６              周辺領域
１０５              二次元コード（識別マーク）
１０７              表示枠（請求項６の欠切部分）
１０８              切欠凹部（請求項４の欠切部分）
１０４ｃ            輪郭（写真画像の輪郭、写真画像の縁部分）
１０４ａ            主被写体（被説明対象物の画像、被写体の一部）
１０４ｂ            背景画像（背景画像部分、被写体の一部）
１３０              保証書
１３１              保証文書
１３２              署名
Ｍ                  説明映像
ｍ１                生産者映像（提供者映像）
ｍ２                生産場所の屋外映像（現場映像）
ｍ３                生産場所の屋内映像（現場映像）
【図１】
2009282555.tif 000003
【図２】
2009282555.tif 000004
【図３】
2009282555.tif 000005
【図４】
2009282555.tif 000006
【図５】
2009282555.tif 000007
【図６】
2009282555.tif 000008
【図７】
2009282555.tif 000009
【図８】
2009282555.tif 000010
【図９】
2009282555.tif 000011
【図１０】
2009282555.tif 000012
【図１１】
2009282555.tif 000013
【図１２】
2009282555.tif 000014